(57)【要約】  二つ折りパッケージは、第１の製品収容部を部分的に囲む第１のフランジを有する第１の部分を備える。第１の接続部材が第１のフランジに接続されている。パッケージは、第２のフランジを備える第２の部分をさらに備える。第２の接続部材が第２のフランジに接続されていると共に第２のフランジから不可逆的に分離可能である。第１の接続部材は、第１のフランジが第２のフランジに隣接して配置される場合に、第２の接続部材と不可逆的に接続する。
2008534391.tif 000002
【特許請求の範囲】
【請求項１】
第１の製品収容部を部分的に囲む第１のフランジを有する第１の部分と、
前記第１のフランジに接続されている第１の接続部材と、
第２のフランジを備える第２の部分と、
前記第２のフランジに接続されていると共に前記第２のフランジから不可逆的に分離可能である第２の接続部材とを備え、
前記第１の接続部材は、前記第１のフランジが前記第２のフランジに隣接して配置されるときに、前記第２の接続部材と不可逆的に接続することを特徴とする二つ折りパッケージ。
【請求項２】
前記第２の部分は第２の製品収容部をさらに備えることを特徴とする請求項１に記載の二つ折りパッケージ。
【請求項３】
前記第１の製品収容部及び前記第２の製品収容部は、前記第１のフランジが前記第２のフランジに隣接して配置される場合に位置合わせされることを特徴とする請求項２に記載の二つ折りパッケージ。
【請求項４】
前記第１の接続部材は前記第１のフランジに接続されていると共に前記第１のフランジから不可逆的に分離可能であることを特徴とする請求項１に記載の二つ折りパッケージ。
【請求項５】
前記第１の接続部材及び前記第２の接続部材はそれぞれ、前記第１のフランジ及び前記第２のフランジに接続されていると共に、切り取り線によって前記第１のフランジ及び前記第２のフランジから不可逆的に分離可能であることを特徴とする請求項４に記載の二つ折りパッケージ。
【請求項６】
前記第１の接続部材及び前記第２の接続部材は連結クラッシュポイントであることを特徴とする請求項１に記載の二つ折りパッケージ。
【請求項７】
前記第１の部分及び前記第２の部分は、前記第１のフランジが前記第２のフランジに隣接して配置される場合に、前記第１の製品収容部から製品が外れるのを防ぐ剛性を有する材料から構成されることを特徴とする請求項１に記載の二つ折りパッケージ。
【請求項８】
前記第１の製品収容部内に配置されるメモリモジュールをさらに備えることを特徴とする請求項１に記載の二つ折りパッケージ。
【請求項９】
第１のフランジを備える第１の部分と、
第２のフランジを備える第２の部分であって、前記第１のフランジが前記第２のフランジに隣接して配置されるときに製品容器が形成される、第２の部分と、
前記第１のフランジに接続されていると共に前記第１のフランジから不可逆的に分離可能である第１のタブと、
前記第１のフランジが前記第２のフランジに隣接する場合に、前記第１のタブを前記第２の部分に不可逆的に接続する第１の接続部材とを備えることを特徴とする二つ折りパッケージ。
【請求項１０】
前記第１のフランジは第１の製品収容部を部分的に囲むことを特徴とする請求項９に記載の二つ折りパッケージ。
【請求項１１】
前記第２のフランジは第２の製品収容部を部分的に囲むことを特徴とする請求項１０に記載の二つ折りパッケージ。
【請求項１２】
前記第１の製品収容部及び前記第２の製品収容部は、前記第１のフランジが前記第２のフランジに隣接して配置される場合に製品容器を形成することを特徴とする請求項１１に記載の二つ折りパッケージ。
【請求項１３】
前記製品容器内に配置されるメモリモジュールをさらに備えることを特徴とする請求項１２に記載の二つ折りパッケージ。
【請求項１４】
前記第１の接続部材は前記第１のタブ上に配置されることを特徴とする請求項９に記載の二つ折りパッケージ。
【請求項１５】
前記第２のフランジに接続されていると共に前記第２のフランジから不可逆的に分離可能である第２のタブ上に配置される第２の接続部材をさらに備えることを特徴とする請求項１４に記載の二つ折りパッケージ。
【請求項１６】
前記第１の接続部材及び前記第２の接続部材は互いに不可逆的に接続することを特徴とする請求項１５に記載の二つ折りパッケージ。
【請求項１７】
前記第１の接続部材及び前記第２の接続部材は連結クラッシュポイントであることを特徴とする請求項１６に記載の二つ折りパッケージ。
【請求項１８】
前記第１のタブ及び前記第２のタブはそれぞれ、前記第１のフランジ及び前記第２のフランジに接続されていると共に、切り取り線によって前記第１のフランジ及び前記第２のフランジから不可逆的に分離可能であることを特徴とする請求項１５に記載の二つ折りパッケージ。
【請求項１９】
前記第１の部分及び前記第２の部分は、前記第１の接続部材が前記第１のタブを前記第２の部分に接続すると、前記第１のタブが前記第１のフランジから不可逆的に分離されない限り、前記製品容器から製品が外れるのを防ぐ剛性を有する材料から構成されることを特徴とする請求項９に記載の二つ折りパッケージ。
【請求項２０】
二つ折りパッケージの第１の部分と第２の部分との間に形成される製品容器内に製品を受け入れる手段と、
前記製品が前記容器から外れることができないように、前記パッケージの前記第１の部分を前記パッケージの前記第２の部分に不可逆的に接続する手段と、
前記不可逆的に接続する手段を前記第１の部分又は前記第２の部分から不可逆的に分離することによって、前記パッケージの前記第１の部分を前記パッケージの第２の部分から切断する手段とを備えることを特徴とする二つ折りパッケージ。
【発明の詳細な説明】
【背景技術】
【０００１】
［関連出願の相互参照］
本出願は、２００５年３月２４日に出願された「Memory DIMM Packaging With Enhanced Security Features」と題する米国仮特許出願第６０／６６４，７７９号の利益を主張すると共に、当該特許出願を参照により援用する。
【０００２】
コンピュータシステム及び他の電子デバイスは、基本的な機能を実施するために専用のメモリチップを利用する。メモリチップは多くの場合、当該メモリチップとコンピュータシステムとの間の接続を提供するメモリモジュールに連結される。メモリモジュールによって、複数のメモリチップを同時に取り付け及び接続することが可能となる。多くのコンピュータシステム及び他の電子デバイスは、エンドユーザが、システムの性能を向上させるか又は正常に動作していないモジュールを交換するために、代替品又は追加のメモリモジュールを取り付けることができるように設計される。
【０００３】
メモリモジュールはさまざまな構成において利用可能である。ほとんどのコンピュータシステム及び電子デバイスは、特定の製造業者の仕様に合わせて構成される特定のメモリモジュール構成で動作するように設計される。製造業者の仕様に合わせて構成されていないメモリモジュールを使用することによって、システムが動作不能となるか、又は性能が著しく低下するかもしれない。ほとんどのコンピュータシステムの製造業者は彼らの仕様に合わせて構成されたメモリモジュールを提供するが、メモリモジュールは、製造業者以外の多数の供給業者によっても提供され、劣った仕様に合わせて構成されていることが多い。
【０００４】
メモリモジュールの視覚的な外観のみに基づいて特定のメモリモジュールの適合性を判断することは困難であることが多い。適合性を容易に判断することが困難であることは、買手が、製造業者の仕様に合わせて構成されていないが、仕様に合ったメモリモジュールに視覚的に似ている場合があるメモリモジュールを容認してしまうという問題に繋がる。したがって、製造業者が認可したメモリモジュールは、メモリモジュールの適合性を検証する助けとなる包装に入れられて出荷されることが多い。
【０００５】
メモリモジュールが入れられて出荷される従来の包装に伴う１つの問題は、包装によって、パッケージをほとんど乱すことなくメモリモジュールが取出されて不良品と差し替えられてしまう恐れがあるということである。したがって、買手は不注意に不良品を使用してしまうかもしれない。したがって、ここから理解されるように、当該技術分野において、内部に配置されるメモリモジュールの安全性及び保護を向上するメモリモジュールの包装が依然として必要とされている。
【発明の開示】
【０００６】
二つ折りパッケージは、第１の製品収容部を部分的に囲む第１のフランジを備える第１の部分を備える。第１の接続部材が第１のフランジに接続されている。パッケージは、第２のフランジを備える第２の部分をさらに備える。第２の接続部材が第２のフランジに接続されていると共に、第２のフランジから不可逆的に分離可能である。第１の接続部材は、第１のフランジが第２のフランジに隣接して配置される場合に、第２の接続部材と不可逆的に接続する。
【０００７】
本発明の例示的な実施の形態の詳細な説明のために、ここで添付の図面が参照される。
［表記及び用語］
特定のシステム構成要素を指すために、以下の記載及び特許請求の範囲を通じていくつかの用語が使用される。当業者には理解されるように、コンピュータ会社によって１つの構成要素を異なる名称で呼んでいる場合がある。本明細書は、名称は異なるが機能は異ならない構成要素を区別することは意図していない。以下の記載及び特許請求の範囲において、用語「含む」及び「備える」は限定のない様式で使用されており、したがって、「〜を含むが、〜には限定されない」ということを意味するものと解釈されるべきである。また、用語「接続する」は間接的な接続又は直接的な接続のいずれかを意味するように意図される。したがって、第１のデバイスが第２のデバイスと接続する場合、その接続は、直接的な接続による場合もあれば、他のデバイス及び接続を介した間接的な接続による場合もある。
【発明を実施するための最良の形態】
【０００８】
以下の記載は本発明のさまざまな実施形態を対象とする。これらの実施形態のうちの１つ又は複数が好ましい場合があるが、開示される実施形態は、特許請求の範囲を含む本開示の範囲を限定するように解釈されるべきでも、又は他の方法で使用されるべきでもない。加えて、以下の記載は広範な用途を有し、いずれの実施形態の記載も、その実施形態の例示となるようにのみ意図され、特許請求の範囲を含む本開示の範囲がその実施形態に限定されることを暗示するように意図されるものではないということを、当業者は理解するであろう。
【０００９】
図１及び図２は、折り曲げ可能なヒンジ１６によって接続されている第１の部分１２及び第２の部分１４を備える二つ折りパッケージ１０を示す。第１の部分１２は、凹型製品収容部１８と、フランジ２０と、タブ２２と、接続部材２４とを備える。第２の部分１４は、対応する凸型製品収容部２６と、フランジ２８と、タブ３０と、接続部材３２とを備える。
【００１０】
タブ２２及び３０は、それぞれ切り取り線３４を介してフランジ２０及び２８から不可逆的に分離可能である。切り取り線３４は、タブとそれらのそれぞれのフランジとの間の不可逆的に分離可能な接続を提供する一連の穴、スロット、切れ目、又は他の機構であることができる。フランジ２０及び２８の縁は、切り取り線３４が縁と交差する点３８で丸みをつけられる。
【００１１】
製品収容部１８及び２４は、製品が収容部内に固定されるようなサイズにされると共にそのように配置される一体のリッジ３６又は他の機構をさらに備えることができる。図１及び図２の実施形態では、収容部１８及び２４の一体のリッジ３６は、２つのデュアルインラインメモリモジュール（ＤＩＭＭ）の挿入をサポートする。他の実施形態は、任意の望ましいメモリモジュール又は他の製品を受け入れるようなサイズにされる収容部、一体のリッジ、及び他の機構を備えてもよい。
【００１２】
ここで図３及び図４を参照すると、二つ折りパッケージ１０が、第１の部分１２が第２の部分１４に隣接する閉じた位置で示される。第２の部分１４が第１の部分１２に対してヒンジ１６を中心として回転し、それによってフランジ２０及び２８が互いに隣接して位置付けられる。フランジ２０及び２８が互いに隣接して位置付けられると、第１の部分１２上のタブ２２が第２の部分１４上のタブ３０と位置合わせされ、第１の部分１２上の接続部材２４が第２の部分１４上の接続部材３２と係合する。凸型製品収容部２６が凹型製品収容部１８内に挿入され、製品４０を内部に固定する容器が形成される。
【００１３】
接続部材２４及び３２が係合されると、係合された部材は互いから分離することができないように永久的に相互接続される。したがって、接続部材２４及び３２は、第１の部分１２と第２の部分１４との間の確実で不可逆的な連結を形成する。接続部材２４及び３２は、係合される部材を塑性的に変形することによって相互接続されるクラッシュポイント又はクラッシュリベットとして示される。他の実施形態では、タブ２２及び３０は、接着剤、熱融着、機械リベット、又は他の締結装置等の他の接続手段によって互いに不可逆的に接続されてもよい。
【００１４】
上述のように、収容部１８及び２６は位置合わせされて、容器又は製品を受け入れる他の手段が形成される。二つ折りパッケージ１０は、好ましくは、閉じた状態のパッケージから製品が外れるのを防ぐ剛性を有する、成形可能なプラスチック材料から構成される。成形可能なプラスチック材料はまた、接続部材２４と接続部材３２との間の不可逆的な接続を可能にする十分な材料特性も提供する。したがって、容器内に配置される製品は、第１の部分１２を第２の部分１４から分離せずに取り外すことはできない。
【００１５】
パッケージ１０は、図５に示すようにタブ２２及び３０をそれらのそれぞれのフランジから取り外すことによって開く。タブ２２及び３０が取り外されると、第１の部分１２は第２の部分１４から分離することができる。タブ２２及び３０は、切り取り線３４に沿って引き裂くことによってそれらのそれぞれのフランジから取り外され、タブはそれらのフランジから永久的に取り外される。取り外されると、タブ２２及び３０はフランジに再び接続することはできない。タブは不可逆的に分離可能であるため、タブが取り外されるとパッケージ１０が開いていたかが容易に見分けられる。
【００１６】
いくつかの実施形態では、タブ２２又は３０のうちの一方のみがそのフランジから不可逆的に分離可能であってもよく、一方で他方のタブは永久的に取り付けられる。この実施形態では、不可逆的に分離可能なタブはそのフランジから分離し、一方で永久的に取り付けられたタブはそのフランジに取り付けられたままであろう。
【００１７】
上記の記載は本発明の原理及びさまざまな実施形態を例示するように意図される。上記の開示が完全に理解されれば、当業者には多数の変形形態及び修正形態が明らかとなろう。たとえば、本明細書に記載される、不正開封を防ぐ機構及び他の安全機構を、他のタイプの製品に使用される他のタイプの包装システムに適用することができる。添付の特許請求の範囲は、すべてのこのような変形形態及び修正形態を包含するように解釈されることが意図される。
【図面の簡単な説明】
【００１８】
【図１】本発明の実施形態に従って構成される開いた状態の二つ折りパッケージの平面図である。
【図２】図１の開いた状態の二つ折りパッケージの側面図である。
【図３】閉じた位置で示される図１の二つ折りパッケージの端面図である。
【図４】閉じた位置で示される図１の二つ折りパッケージの等角図である。
【図５】タブが取り外された状態の図１の二つ折りパッケージの等角図である。
【図１】
2008534391.tif 000003
【図２】
2008534391.tif 000004
【図３】
2008534391.tif 000005
【図４】
2008534391.tif 000006
【図５】
2008534391.tif 000007
【国際調査報告】
2008534391.tif 000008
2008534391.tif 000009